(57)【要約】【課題】電波障害等のメール不達の可能性がある場合において、あるいは利用者は非接触ＩＣカードでの支払い後の残額がリアルタイムに認識することができる携帯端末装置および携帯端末装置を用いた決済システムを提供することである。【解決手段】たとえば非接触ＩＣカード機能を有する携帯電話および電子マネーの課金管理を行うサーバシステムにおいて、携帯電話に内臓した非接触ＩＣカード機能による代金支払い後、すぐに同電話上のＬＥＤ等で残額の状況が一目で判断でき、且つ残額不足時においては同電話上のキーを押下することにより同電話内蔵の非接触ＩＣカード部へ簡単に電子マネーを追加購入することを可能とする携帯電話システムを提供する。【選択図】図２
2009187219.tif 000002
【特許請求の範囲】
【請求項１】
電子マネーを取り扱う非接触ＩＣカード部を有する携帯端末装置において、前記非接触ＩＣカード部にて使用可能な電子マネーの残額が所定金額以下であるときにその旨を利用者に通知する通知手段を備えたことを特徴とする携帯端末装置。
【請求項２】
前記通知手段がＬＥＤの点灯によって、前記非接触ＩＣカード部にて使用可能な電子マネーの残額が所定金額以下である旨を通知することを特徴とする請求項１に記載の携帯端末装置。
【請求項３】
前記非接触ＩＣカード部にて使用可能な電子マネーの残額を増加させる該電子マネーの購入操作を利用者がワンタッチで行うことができる操作キーを設けたことを特徴とする請求項１に記載の携帯端末装置。
【請求項４】
前記携帯端末装置が携帯電話であることを特徴とする請求項１ないし３のうちのいずれか１項に記載の携帯端末装置。
【請求項５】
電子マネーを取り扱う非接触ＩＣカード部を有する携帯端末装置と、前記非接触ＩＣカード部の電子マネーで料金支払い可能なレジと、前記非接触ＩＣカード部の課金管理を行う課金サーバとを有し、前記非接触ＩＣカード部に記憶してある該非接触ＩＣカード部にて使用可能な電子マネーの残額と、前記課金サーバに記憶してある該非接触ＩＣカード部にて使用可能な電子マネーの残額との同期をとる手段を備えたことを特徴とする携帯端末装置を用いた決済システム。
【請求項６】
前記携帯端末装置が携帯電話であり、前記同期が携帯電話網を介して行われることを特徴とする請求項５に記載の携帯端末装置を用いた決済システム。
【発明の詳細な説明】
【技術分野】
【０００１】
本発明は携帯端末装置および携帯端末装置を用いた決済システムに関し、特に、非接触ＩＣカード機能を備えた携帯端末装置および携帯端末装置を用いた決済システムに関する。
【背景技術】
【０００２】
従来、たとえば携帯電話のような携帯端末装置に非接触ＩＣカード機能を備え、非接触による店舗において非接触にて決済を行うシステムが知られている。
【０００３】
たとえば特許文献１には、「非接触ＩＣカード機能を有した携帯電話システムにおける簡易決済システム」が記載されている。
【０００４】
この特許文献１に記載の発明においては、利用者は携帯電話等の携帯端末装置と非接触ＩＣカードとを保有し、非接触ＩＣカードには電子マネーをあらかじめ残額積み増し（チャージ）しておき、非接触ＩＣカードでの支払い後にカードに登録されている残額が、ある基準額以下になったときに前記携帯端末装置に対してメールにて通知し、且つ当該メールの記載内容に従って電子マネーを購入指示することにより、前記非接触ＩＣカードに対する残額積み増し処理を可能とする特徴を有している。
【０００５】
【特許文献１】特開２００４−２８０５２２号公報
【発明の開示】
【発明が解決しようとする課題】
【０００６】
しかしながら、上述の従来例では以下のような問題があった。
【０００７】
すなわち特許文献１に記載の発明においては、非接触ＩＣカードに登録されている電子マネーの残額が基準額以下であった場合、利用者の携帯端末装置への通知は外部のサーバシステムからメールにて実施されることになる。このため、メール受信時において電波障害等の要因による当該メール不達の可能性やリアルタイム性に欠けるという問題がある。
【０００８】
それに加え、電子マネーの追加購入時は、メールを閲覧後購入指示を行う必要があるため、購入操作が煩雑になるという問題もあり、利便性に問題がある。
【０００９】
本発明は上記の点に鑑みなされたもので、電波障害等のメール不達の可能性がある場合において、あるいは利用者は非接触ＩＣカードでの支払い後の残額がリアルタイムに認識することができる携帯端末装置および携帯端末装置を用いた決済システムを提供することを目的とする。
【課題を解決するための手段】
【００１０】
本発明は、たとえば非接触ＩＣカード機能を有する携帯電話および電子マネーの課金管理を行うサーバシステムにおいて、携帯電話に内臓した非接触ＩＣカード機能による代金支払い後、すぐに同電話上のＬＥＤ等で残額の状況が一目で判断でき、且つ残額不足時においては同電話上のキーを押下することにより同電話内蔵の非接触ＩＣカード部へ簡単に電子マネーを追加購入することを可能とする携帯電話システムを提供する。
【００１１】
本発明は、電子マネーを取り扱う非接触ＩＣカード部を有する携帯端末装置において、前記非接触ＩＣカード部にて使用可能な電子マネーの残額が所定金額以下であるときにその旨を利用者に通知する通知手段を備えたことを特徴とする。
【００１２】
また本発明は、前記通知手段がＬＥＤの点灯によって、前記非接触ＩＣカード部にて使用可能な電子マネーの残額が所定金額以下である旨を通知することを特徴とする。
【００１３】
また本発明は、前記非接触ＩＣカード部にて使用可能な電子マネーの残額を増加させる該電子マネーの購入操作を利用者がワンタッチで行うことができる操作キーを設けたことを特徴とする。
【００１４】
また本発明は、前記携帯端末装置が携帯電話であることを特徴とする。
【００１５】
また本発明は、携帯端末装置を用いた決済システムにおいて、電子マネーを取り扱う非接触ＩＣカード部を有する携帯端末装置と、前記非接触ＩＣカード部の電子マネーで料金支払い可能なレジと、前記非接触ＩＣカード部の課金管理を行う課金サーバとを有し、前記非接触ＩＣカード部に記憶してある該非接触ＩＣカード部にて使用可能な電子マネーの残額と、前記課金サーバに記憶してある該非接触ＩＣカード部にて使用可能な電子マネーの残額との同期をとる手段を備えたことを特徴とする。
【００１６】
また本発明は、携帯端末装置を用いた決済システムにおいて、前記携帯端末装置が携帯電話であり、前記同期が携帯電話網を介して行われることを特徴とする。
【発明の効果】
【００１７】
本発明によれば、電波障害等のメール不達の可能性がある場合において、あるいは利用者は非接触ＩＣカードでの支払い後の残額がリアルタイムに認識することができる携帯端末装置および携帯端末装置を用いた決済システムを提供することができる。
【００１８】
すなわち、本発明においては、非接触ＩＣカード機能を有する携帯電話および電子マネーの課金管理を行うサーバシステムにおいて、携帯電話上で非接触ＩＣカード機能により代金支払い後、直ぐに本携帯電話上のＬＥＤ等で残金額の状況が一目で判断でき、不足時においては前記電話上のキーを押下することにより同電話内蔵の非接触ＩＣカード部へ簡単に電子マネーを追加購入することが可能である。
【発明を実施するための最良の形態】
【００１９】
以下、本発明の実施の形態について図面を参照して詳細に説明する。
【００２０】
図１は本発明による携帯端末装置を用いた決済システムの一実施の形態で用いる携帯電話の構成を示すブロック図である。この実施の形態では、携帯端末装置の一例として携帯電話を用いる。以下、図１の各構成要素について説明する。
【００２１】
図１に示すように、携帯電話１は、無線部１１と、制御部１２と、音声信号処理部１３と、ＬＣＤ部１４と、キー入力部１５と、レシーバ／マイク部１６と、ＲＯＭ１部１７と、ＲＡＭ部１８と、非接触ＩＣカード部１９と、ＬＥＤ部２０とを有して構成される。
【００２２】
無線部１１は、無線回線を使用して送受信するものである。
【００２３】
制御部１２は、あらかじめＲＯＭ部１７に書き込まれたプログラムにより本装置を動作させるものである。
【００２４】
音声信号処理部１３は、レシーバ／マイク部１６のマイクより入力された音声信号をデジタル信号に変換するものであり、また、受信したデジタル信号をレシーバ／マイク部１６へ送出される音声信号に変換するものである。
【００２５】
ＬＣＤ部１４は、各種メッセージ情報やユーザデータを表示するものである。
【００２６】
キー入力部１５は、利用者より各種指示を行うためのものである。
【００２７】
レシーバ／マイク部１６は、音声信号処理部１３にてデジタル信号から変換された音声信号を出力し、また、音声信号を入力するものである。
【００２８】
ＲＯＭ１部１７は、制御部１２が動作するための携帯電話１のプログラムおよび暗証番号があらかじめ書き込まれたものであり、通常の利用者の操作では書き換えが不可能なように構成されている。
【００２９】
ＲＡＭ部１８は、制御部１２が各種動作を行う際の作業用データの一時格納を行うとともに、利用者からの設定情報を一時保存するためのものである。
【００３０】
非接触ＩＣカード部１９は、専用リーダライタと通信し電子マネーを管理するものである。
【００３１】
ＬＥＤ部２０は、ＩＣカード部１９内の電子マネーの残額に応じて点灯あるいは消灯させることにより携帯電話１の利用者に対して電子マネーの残額状況を通知するものである。
【００３２】
次に図２および図３を用いて本実施の形態のシステム構成を説明する。
【００３３】
図２は、本実施の形態の決済システムの構成を示すブロック図である。
【００３４】
この決済システムは、携帯電話１とレジ２と携帯電話網３とクレジットサーバ４と課金サーバ５とを有して構成される。以下、図２の各構成について説明する。
【００３５】
携帯電話1は、図１にその詳細を示したものであって、利用者が使う携帯電話であり、この決済システムにおける電子マネーを購入するためのクレジット情報があらかじめ登録されている。
【００３６】
携帯電話1は、非接触ＩＣカード対応リーダライタ２１と通信し、代金支払い処理を可能とするための非接触ＩＣカード部１９を有する。非接触ＩＣカード部１９と非接触リーダライタ２１との間における通信の詳細については図３を参照して後述する。
【００３７】
図２に示すように、レジ２は、非接触ＩＣカード機能による代金支払い機能を有し、店舗Ａ内において商品購入後の代金支払いの際に使用されるレジである。このレジ２は課金サーバ５とも接続される。
【００３８】
携帯電話網３は基地局や交換機等を有して構成される。
【００３９】
クレジットサーバ４にはあらかじめ与信情報が登録されており、携帯電話１からクレジット情報を受信すると、与信情報に基づき当該クレジット情報を審査し、審査の結果問題なければ電子マネーを購入し、課金サーバ５へチャージ指示を行う。
【００４０】
課金サーバ５には当該携帯電話１内の電子マネー残額が保持されている。この課金サーバ５に保持される電子マネー残額は、利用者が店舗Ａのレジ２で携帯電話１を使って代金支払いをするときに、携帯電話１内の非接触ＩＣカード部１９との間で残額情報の同期をとった後、保持される。
【００４１】
ここで、非接触ＩＣカード１９と非接触カード対応リーダライタ２１を用いて、非接触カード部１９内にて課金データを保存する場合の処理について、先に図３を参照しながら説明する。
【００４２】
図３は、非接触ＩＣカード部１９および非接触カード対応リ−ダライタ２１の内部構成の一例を示すブロック図である。
【００４３】
非接触ＩＣカード部１９は、携帯電話１の制御部１２と接続され、非接触ＩＣカード部１９を制御するための制御部１９１と、対向する非接触ＩＣカード対応リーダライタ２１と無線通信をするためのアンテナ部１９２と、携帯電話１の制御部１２あるいはアンテナ部１９２を通して受信した課金データを保持するためのメモリ部１９３とを有して構成される。
【００４４】
一方、非接触ＩＣカード対応リーダライタ２１は、レジ２の処理部２２と接続され、非接触ＩＣリーダライタ２１の処理を制御するための制御部２１１と、対向する非接触ＩＣカード部１９と無線通信をするためのアンテナ部２１２とを有して構成される。
【００４５】
レジ２において非接触ＩＣカード機能で代金支払い処理をしたときは、レジ２の処理部２２から非接触ＩＣカード対応リーダライタ２１の制御部２１１へ代金情報（課金データが）が送信される。その後、課金データは制御部２１１からアンテナ部２１２を通して非接触ＩＣカード部１９に送信される。
【００４６】
非接触ＩＣカード部１９においては課金データをアンテナ部１９２によって受信し、メモリ部１９３に保存する。
【００４７】
また、図３には記載していないが、携帯電話１では、携帯電話網３を経由して課金サーバ５から課金データを受信し、非接触ＩＣカード部１９内のメモリ部１９３にこの課金データを保存することも可能である。
【００４８】
加えて、この携帯電話１においては無線通信回線経由の音声通話機能、ＨＴＭＬ形式のコンテンツを受信し表示する機能、ＪＡＶＡにより記述されたアプリケーション（プログラム）をダウンロードし実行するＪＡＶＡ動作環境を備えた機能、の３種類の機能を有する。これらの機能や通信手順（プロトコル）については、ここでは特に言及しないが、既知のいかなる技術をも適用されるものである。
【００４９】
続いて、以下に本実施の形態の決済システムの動作について説明する。
【００５０】
本実施の形態の決済システムにおいて、携帯電話１を使って非接触ＩＣカード機能による代金支払いを行う処理を、図４〜図７を用いて説明する。
【００５１】
図４は、携帯電話１の初期設定処理の一例を示すフローチャートである。
【００５２】
図５〜７は、本実施の形態の決済システムにおいて、携帯電話１を使って非接触ＩＣカード機能による代金支払いを行う際の処理シーケンスの一例を示す図であって、図６は図５の後に続く図であり、図７は図６の後に続く図であり、それぞれ丸付き数字の同じ数字にて連結される。
【００５３】
利用者は、まず代金支払いを行う前に、携帯電話１に対して初期設定を行う必要がある。その処理を図４を中心に参照して説明する。
【００５４】
利用者は、携帯電話１を入手した後に、設定メニューの中から処理を選択してりクレジットカード情報（Ｉｎｆｏ１）を登録して保存する。クレジットカード情報（Ｉｎｆｏ１）とはクレジットカードのカード番号、有効期限、名義、電話番号などのクレジット与信処理が可能な各種情報を示す（ステップＦ１）。
【００５５】
その後ステップＦ１と同様に、携帯電話１の設定メニューの中から処理を選択して残金閾値（Ｉｎｆｏ２）を設定する。残金閾値（Ｉｎｆｏ２）とは、非接触ＩＣカード部１９のメモリ部１９３に保持された電子マネーの残額の基準額を決める情報であり、メモリ部１９３の残額が残金閾値（Ｉｎｆｏ２）未満になれば、ＬＥＤ部２０あるいはＬＣＤ部１４で携帯電話１の利用者に、残金が基準額以下になった旨を知らせるための役目がある（ステップＦ２）。
【００５６】
ステップＦ２の後に引き続き、携帯電話１の設定メニューの中から処理を選択して購入額（Ｉｎｆｏ３）を設定する。購入額（Ｉｎｆｏ３）とは、非接触ＩＣカード部１９に対する一回当たりの購入金額を決めるものであり、携帯電話１の利用者によるチャージ指示があった場合は、購入額（Ｉｎｆｏ３）として設定した金額分だけ電子マネーを購入し、非接触ＩＣカード部１９に加算して保持する。
【００５７】
以上が、利用者が携帯電話１を入手した後に行う設定の内容である。なお、この設定は入手直後の初回のみ実施する、あるいは登録情報に変更がある際に適時設定すればよく、毎回設定する必要は無い。
【００５８】
次に、利用者が商品を購入してその代金を支払う際に、本実施の形態の携帯電話１の電子マネーを使用する際の処理シーケンスを、図５〜図７を中心に参照して説明する。ここで、携帯電話１には、図４に示した初期設定処理を既に完了しているものとする。
【００５９】
まず図５を参照し、携帯電話１の利用者が店舗Ａにて商品を購入する（ステップＳ１）。
【００６０】
商品購入後、利用者は代金支払い処理を開始する。利用者は、代金支払い処理のために、携帯電話１をレジ２の非接触ＩＣカード対応リーダライタ２１にかざす。携帯電話１が非接触ＩＣカード対応リーダライタ２１の通信可能範囲にかざされると、携帯電話１の非接触ＩＣカード部１９と非接触ＩＣカード対応リーダライタ２１との間で接続処理が行われる（ステップＳ２）。
【００６１】
ステップＳ２の後に、課金サーバ５に保存されている残額データと非接触ＩＣカード部１９に管理されている残額データとの同期処理が行われる（ステップＳ３）。
【００６２】
この同期処理について説明すると、課金サーバ５と接続されていないレジを使って商品購入、非接触ＩＣカード機能による代金支払いが行われたとき、非接触ＩＣカード部１９にしか最新の残額データが残らない場合がある。また携帯電話１を使わずにクレジット処理による電子マネーが追加され、携帯電話１には情報が更新されず、課金サーバ５のみに残額データが更新される場合がある。これらの場合を想定して、課金サーバ５に保存された残額データと同カード部１９に管理された残額データとを照合し、双方管理の残額データを最新の情報に一致させる。これが同期処理である。
【００６３】
残額データの同期処理が完了した後、その結果を非接触ＩＣカード部１９のメモリ部１９３に残額として保存する（ステップＳ４）。
【００６４】
その後、レジ２において商品に応じた代金を差し引くため、レジ２（の非接触ＩＣカード対応リーダライタ２１）から携帯電話１（の非接触ＩＣカード部１９）へ購入金額を送信する（ステップＳ５）。
【００６５】
その後、携帯電話１の非接触ＩＣカード部１９において、非接触ＩＣカード部１９内のメモリ部１９３に保存された残額と前記購入金額とを比較する。比較した結果、残額よりも購入金額の方が大きければ、レジ２との通信を切断し、残額不足の旨アラーム通知し、終了する（以上、ステップＳ６−２、Ｓ２８）。
【００６６】
また、比較した結果、残額よりも購入金額の方が小さければ（ステップＳ６−１）、残額から前記購入金額を減算して購入後の残額を算出し、その購入後の残額をメモリ部１９３に保存する（ステップＳ７）。
【００６７】
その後、非接触ＩＣカード部１９から非接触ＩＣカード対応２１、レジ２を通して、課金サーバ５に対して現在の残額を送出する（ステップＳ８）。
【００６８】
残額を受信した課金サーバ５においては、後の携帯電話１との同期処理のため、当該残額を保存する（ステップＳ９）。
【００６９】
図６へと進み、携帯電話１においては、ステップＳ８の後に非接触通信の相手先であったレジ２（非接触ＩＣカード対応リーダライタ２１）との通信を切断し、終了する（ステップＳ１０）。
【００７０】
その後、携帯電話１においては、利用者に残額状況を通知し電子マネーの購入処理を促す。その動作について説明する。
【００７１】
携帯電話１においては残金閾値（Ｉｎｆｏ２）と残額とを比較し、残金閾値（Ｉｎｆｏ２）よりも残額が少ない場合は（ステップＳ１１−１）、残額が残金閾値（Ｉｎｆｏ２）を下回っていることを利用者に通知するためにＬＥＤ部２０を発光する（ステップＳ１２）。
【００７２】
ＬＥＤ部２０が発光することにより、利用者は残額が同閾値（Ｉｎｆｏ２）より少ないことがわかる。これにより利用者は電子マネーを追加購入するかどうかの判断の機会が生じる。この場合はＬＥＤ部２０が発光しているため、利用者は電子マネーの追加購入が必要と判断できる。
【００７３】
利用者は電子マネーの追加購入が必要と判断したならば、電子マネーの購入操作を行う。このとき既に携帯電話１には、キー入力部１５から操作し易いキーのひとつが、電子マネーの購入指示用に割り付けられているものとする。たとえばサイドキーに割付されているものとして、利用者は携帯電話１のサイドキーを押下する（以上、ステップＳ１３−１）。
【００７４】
携帯電話１のサイドキーが押下されたならば、利用者から電子マネーの購入指示があったものと判断し、クレジットサーバ４に対して電子マネーのクレジット購入を指示する。まず、携帯電話網３に対して呼接続処理を行い回線接続後（ステップＳ１４）、携帯電話網３経由であらかじめ携帯電話１に保存されたクレジットカード情報（Ｉｎｆｏ１）と購入額（チャージ額）（Ｉｎｆｏ３）をクレジットサーバ４へ送信する（ステップＳ１５）。
【００７５】
カード情報（Ｉｎｆｏ１）およびチャージ額（Ｉｎｆｏ３）を受信したクレジットサーバ４は、まず受信したカード情報（Ｉｎｆｏ１）に従い与信処理を行う（ステップＳ１６）。
【００７６】
クレジットサーバ４において当該カード情報（Ｉｎｆｏ１）の審査結果、問題なく購入可能であるならば、課金サーバ５に対して購入処理メッセージにてチャージ額（Ｉｎｆｏ３）分だけ電子マネーの購入指示を行う。このチャージ額（Ｉｎｆｏ３）は購入処理メッセージに含む（ステップＳ１７）。
【００７７】
電子マネーの購入指示を受けた課金サーバ５は、課金サーバ５にて管理している携帯電話１の残額に、当該チャージ額（Ｉｎｆｏ３）を加算後、保存する（ステップＳ１８）。
【００７８】
その後、当該残額の情報を携帯電話１の非接触ＩＣカード部１９の残額に反映させるため、当該残額の情報を携帯電話１に対して送信する。課金サーバ５からクレジットサーバ４へは、ステップＳ１８が完了したことを示す購入完了メッセージを使って当該残額の情報を送信し（ステップＳ１９）、その後クレジットサーバ４から携帯電話網３網経由で携帯電話１へ購入手続きを完了したことを示す購入手続き完了通知メッセージにて当該残額の情報を送信する（ステップＳ２０）。
【００７９】
図７へと進み、課金サーバ５から当該残額の情報を受信した携帯電話１は、その残額情報を非接触ＩＣカード部１９のメモリ部１９３に保存し（ステップＳ２１）、続いて携帯電話網３との回線を切断する（ステップＳ２２）。
【００８０】
チャージ額（Ｉｎｆｏ３）が加算された残額情報を保存した携帯電話１は、再び、当該残額情報を残金閾値（Ｉｎｆｏ２）と比較して当該閾値（Ｉｎｆｏ２）を超えていれば（ステップＳ２３−２）、残額が残金閾値（Ｉｎｆｏ２）を超えていることを利用者に通知するためにＬＥＤ部２０を消灯する（ステップＳ２４）。ＬＥＤ部２０が消灯することにより、利用者は残額が同閾値（Ｉｎｆｏ２）より多いことがわかる。この場合はＬＥＤ部２０が消灯しているため、利用者は電子マネーの追加購入はこれ以上必要ないと判断できる。
【００８１】
ちなみにステップＳ２３において、残額が当該閾値（Ｉｎｆｏ２）より少ないままであれば、ステップＳ２４をスキップして、ＬＥＤ部２０を発光したままにする（ステップＳ２３−２）。ＬＥＤ部２０が発光したままであることにより、利用者は残額が同閾値（Ｉｎｆｏ２）より少ないことがわかり、この場合利用者は必要に応じて電子マネーの追加購入を行う。
【００８２】
その後、ＬＣＤ部１４上に最新の残額を表示して（ステップＳ２５）、処理を終了する。
【００８３】
またステップＳ１１で残額が残金閾値（Ｉｎｆｏ２）を超えている場合は（ステップＳ１１−２）、利用者に電子マネーの追加購入を知らせる必要が無いため、ステップＳ２５へ処理が飛び、ＬＣＤ部１４上に残額を表示して処理を終了する。
【００８４】
同様にステップＳ１３にて携帯電話１上のＬＥＤ部２０が発光した状態にも関わらず、利用者が電子マネーの追加購入を希望しない場合は（ステップＳ１３−２）、その状態で処理を終了させるためステップＳ２５へ処理が飛び、ＬＣＤ部１４上に残額を表示して処理を終了する。
【００８５】
以上、説明したように本発明では非接触ＩＣカード部付き携帯電話１、非接触ＩＣカード対応リーダライタ付きレジ２、携帯電話網３、クレジットサーバ４、課金サーバ５より構成される決済システムにおいて、利用者は携帯電話内蔵の非接触ＩＣカード機能により代金を支払った直後に、その携帯電話上のＬＥＤ等で残額の状況が一目で判断でき、且つ残額不足時においてはその携帯電話上のキーを押下することによりその携帯電話内蔵の非接触ＩＣカード部へ電子マネーを追加購入することが可能である。
【００８６】
その理由に付き以下に説明する。
【００８７】
利用者は携帯電話１を使ってレジ２で非接触ＩＣカード機能により代金を支払う。代金を支払うために、携帯電話１はレジ２と非接触ＩＣカード機能による通信を開始し、レジ２を通して携帯電話１と課金サーバ５において当該電話１の残額データを同期させた後に、携帯電話１内の非接触ＩＣカード部１９より当該商品の代金支払いを行う。支払い後の残額は非接触ＩＣカード部１９からレジ２を通して課金サーバ５へ送信される処理と並行して、携帯電話１において利用者があらかじめ設定した基準額と当該残額を比較し、残額が基準額を下回っているようであればＬＥＤ部２０を発光する。利用者はＬＥＤ部２０が発光することにより、当該電話１内の非接触ＩＣカード部１９の電子マネー残額が少ないことを認識できる。利用者は電子マネー残額が少ないことを認識したならば当該電話１の表面にあるキー（たとえばサイドキー）を押下する。
【００８８】
当該キーが押下されたならば、携帯電話１より携帯電話網３経由でクレジットサーバ４へ、当該電話１内にあらかじめ登録された利用者のクレジットカード情報と電子マネーの購入額を送信する。前記クレジットカード情報と電子マネー購入額を受信したクレジットサーバ４は、当該クレジットカード情報により与信処理を行う。クレジットサーバ４において与信処理に問題がなければ、購入額分だけ電子マネーを購入し、その情報を課金サーバ５へ送信する。課金サーバ５は前記電子マネーの購入分に従い、当該サーバ５内にあらかじめ保存された携帯電話１の残額に加算する。
【００８９】
その後、クレジットサーバ４は前記加算後残額を携帯電話１へ送信し、携帯電話網３との通信を終了する。携帯電話１においては前記で受信した残額と基準値を比較し、残額が基準値よりも多ければ、発光していたＬＥＤ部２０を消灯し、ＬＣＤ部１４上に最新の残額を表示する。ＬＥＤ部２０が消灯することとＬＣＤ部１４上に最新の残額が表示されたことにより、利用者は電子マネーが追加購入され当該電話１の非接触ＩＣカード部１９に管理された残額情報が必要額以上になったことを確認できる。
【００９０】
このように、利用者は携帯電話内蔵の非接触ＩＣカード機能により代金を支払った直後に、当該電話上のＬＥＤ等で残額の状況が一目で判断でき、且つ残額不足時においては当該電話上のキーを押下することにより当該電話内蔵の非接触ＩＣカード部へ電子マネーを追加購入することが可能である。
【００９１】
これにより、利用者は携帯電話を開いて複雑な操作をすることなく、非接触ＩＣカード機能による代金支払い、残額確認、電子マネーの追加購入が可能となる。ついては利便性の向上につながる。
【００９２】
なお、本発明は上記の実施の形態に限定されるものでなく、携帯電話に限らず、あらゆる携帯端末装置にも適用可能である。
【図面の簡単な説明】
【００９３】
【図１】本発明による携帯端末装置を用いた決済システムの一実施の形態で用いる携帯電話の構成を示すブロック図である。
【図２】本実施の形態の決済システムの構成を示すブロック図である。
【図３】非接触ＩＣカード部１９および非接触カード対応リ−ダライタ２１の内部構成の一例を示すブロック図である。
【図４】携帯電話１の初期設定処理の一例を示すフローチャートである。
【図５】本実施の形態の決済システムにおいて、携帯電話１を使って非接触ＩＣカード機能による代金支払いを行う際の処理シーケンスの一例を示す図である。
【図６】本実施の形態の決済システムにおいて、携帯電話１を使って非接触ＩＣカード機能による代金支払いを行う際の処理シーケンスの一例を示す図である。
【図７】本実施の形態の決済システムにおいて、携帯電話１を使って非接触ＩＣカード機能による代金支払いを行う際の処理シーケンスの一例を示す図である。
【符号の説明】
【００９４】
１  携帯電話
２  レジ
３  携帯電話網
４  クレジットサーバ
５  課金サーバ
１１  無線部
１２  キー入力部
１３  音声信号処理部
１４  ＬＣＤ部
１５  キー入力部
１６  レシーバ／マイク部
１７  ＲＯＭ１部
１８  ＲＡＭ部
１９  非接触ＩＣカード部
２０  ＬＥＤ部
２１  非接触ＩＣカード対応リーダライタ
２２  処理部
１９１  制御部
１９２  アンテナ部
１９３  メモリ部
２１１  制御部
２１２  アンテナ部
【図１】
2009187219.tif 000003
【図２】
2009187219.tif 000004
【図３】
2009187219.tif 000005
【図４】
2009187219.tif 000006
【図５】
2009187219.tif 000007
【図６】
2009187219.tif 000008
【図７】
2009187219.tif 000009